(57)【特許請求の範囲】
【請求項１】
仕切面を備えた衝立本体に、オプションの保持装置を着脱自在とする被装着部を設け、
前記衝立本体は表裏に開放する開放部を備え、
前記開放部領域内における上部と下部にカーテン支持部材がそれぞれ着脱自在に掛け渡されるとともに、これらカーテン支持部材にカーテンが着脱自在に支持され、
前記被装着部は、前記開放部を形成する中間横フレームよって構成され、この中間横フレームに沿って下部のカーテン支持部材を位置させることでカーテンの下端部と前記保持装置とを接触させて当該保持装置の脱落若しくは移動が規制されることを特徴とする衝立。
【発明の詳細な説明】
【０００１】
【発明の属する技術分野】
本発明は衝立に係り、特に、福祉用具として室内で利用されるポータブルトイレを使用する際の仕切体として用いることに適した衝立に関する。
【０００２】
【従来の技術】
従来より、在宅介護に際して、被介護者の利用に供するためのポータブルトイレが市販されている。このポータブルトイレは、被介護者の寝室等にて利用する場合が殆どであり、トイレ室のように閉塞された空間内で利用されるものではない。そのため、被介護者がポータブルトイレを利用する際に、その利用空間を仕切るべく衝立が用いられている。
【０００３】
公知の衝立としては、板状体からなる一対の衝立本体を適宜な蝶番で相対回転可能に連結し、当該衝立本体を、例えば、平面視で略９０度に開いてポータブルトイレを囲む位置に自立させて利用可能となっている。
【０００４】
【発明が解決しようとする課題】
しかしながら、このような衝立は、ポータブルトイレを利用する被介護者の回りを一定程度において隠蔽するだけのものであり、トイレットペーパーや、濡れティッシュペーパー、或いは消臭剤等の衛生用品を身近に配置できる構成とはなっていない。
【０００５】
特に、被介護者の場合、身体的な動作も制限的になることが多いので、少ない動作範囲でトイレットペーパー等へのアクセスを容易に行えるようにする必要があるにも拘わらず、既存の衝立には、そのような要請を満足し得る配慮がなされていない。
【０００６】
そこで、衝立に、トイレットペーパー等の保持装置を予め固定しておくことも考えられるが、この場合には、保持装置の装着位置を最適な位置に変更できず、また、衝立を使用しないときに当該衝立の折り畳みが制限されてしまう等の不都合を招来する。
【０００７】
【発明の目的】
本発明は、このような不都合に着目して案出されたものであり、その目的は、トイレットペーパー等をオプションとして、必要に応じて最適な位置に装着することのできる衝立を提供することにある。
【０００８】
【課題を解決するための手段】
前記目的を達成するため、本発明は、仕切面を備えた衝立本体に、オプションの保持装置を着脱自在とする被装着部を設け、
前記衝立本体は表裏に開放する開放部を備え、
前記開放部領域内における上部と下部にカーテン支持部材がそれぞれ着脱自在に掛け渡されるとともに、これらカーテン支持部材にカーテンが着脱自在に支持され、
前記被装着部は、前記開放部を形成する中間横フレームよって構成され、この中間横フレームに沿って下部のカーテン支持部材を位置させることでカーテンの下端部と前記保持装置とを接触させて当該保持装置の脱落若しくは移動が規制される、という構成を採っている。このような構成とすれば、例えば、トイレットペーパーをオプションとしたときに、衝立を使用するときにのみトイレットペーパーを保持する保持装置を装着することで被介護者の利用に供することができる。この一方、折畳みタイプの衝立の場合には、前記保持装置を取り外すことによって折畳みも支障なく行なうことが可能となる。また、極めて簡単な構成によって被装着部を構成することが可能となる他、開放部の中間横フレームにおける長さ方向の領域を被装着部とすることができるため、前記保持装置の幅が前記中間横フレームの長さよりも小さい場合には、最適な位置に装着できる他、他のオプション、例えば、濡れティッシュペーパーや消臭剤等に適合した複数の保持装置を装着することができる。更に、カーテンが汚れた場合でも難なく洗濯することができる他、カーテンの色を変えることも可能となる。また、衝立を構成する部材を有効に利用して保持装置の脱落若しくは移動を規制することができる。しかも、カーテンの上下両側がカーテン支持部材で支持されるため、風などで不用意にカーテンが捲れたり、開いたりすることも防止できる。
【００１０】
【発明の実施の形態】
本発明において、前記被装着部の近傍に、前記保持装置の脱落防止部を設けることが好ましい。このような構成によれば、被介護者の動作に見られるように、予測できない手の動きによって保持装置を脱落させる方向に力が加えられるようなことがあっても、当該保持装置を安定した位置に保つことが可能となる。
【００１１】
更に、前記開放部にはカーテンが着脱自在に設けられる、という構成を採っている。このような構成とすれば、カーテンの存在によって衝立全体を軽量化することが可能となる。
【００１４】
【実施例】
以下、本発明の実施例を図面を参照しながら説明する。
【００１５】
図１には、本実施例に係る衝立の使用状態を示す概略斜視図が示されている。この図において、ポータブルトイレＴの側方に起立する衝立１０は、左右一対の衝立本体１１と、これら衝立本体１１を相対回転可能に連結する複数の蝶番１２とを備えて構成されている。各衝立本体１１は、角材からなる左右一対の縦フレーム１５，１５と、これら縦フレーム１５，１５の上下方向三箇所間に掛け渡された上部横フレーム１６、中間横フレーム１７及び下部横フレーム１８と、縦フレーム１５，１５の下部領域、中間横フレーム１７及び下部横フレーム１８の内側領域に配置された板材からなる仕切面１９と、縦フレーム１５，１５の上部側と上部横フレーム１６及び中間横フレーム１７の内側に形成された開放部２０（図２参照）に設けられたカーテン２１とを備えて構成されている。
【００１６】
前記カーテン２１は、図２ないし図４に示されるように、カーテン支持部材としての上下一対の軸部材２２，２３を介して着脱自在に支持されている。カーテン２１は、その上下両側に、閉ループ部２１Ａ，２１Ｂが形成されており、これらの閉ループ部２１Ａ，２１Ｂに軸部材２２，２３がそれぞれ挿入されている。本実施例では、カーテン２１の左右幅が、軸部材２２，２３の軸方向長さよりも長くも設定されてカーテン２１の面に波状の縦皺が生ずる程度に設けられている。
【００１７】
前記開放部２０の左右両側を形成する縦フレーム１５，１５の相対する内面には、図３及び図５に示されるように、その上下二箇所に穴２４，２４が形成されており、これらの穴２４，２４内にコイルばね２５が収容されている。また、軸部材２２，２３は、その軸方向長さＬが縦フレーム１５，１５の相対する内面間距離Ｌ１よりも僅かに長く、且つ、穴２４，２４の底部２４Ａ，２４Ａ間の距離Ｌ３よりも小さく設定され、これにより、軸部材２２，２３を穴２４，２４間に差し込みできるようになっている。
【００１８】
前記開放部２０において、当該開放部２０の下部形成部、すなわち、中間横フレーム１７には、トイレットペーパーＰをオプションとした保持装置２６が着脱自在に設けられている。この保持装置２６は、衝立本体１１に引っ掛けられて当該衝立本体１１に支持される装置本体２８と、当該装置本体２８に設けられて前記トイレットペーパーＰを保持する保持部２９とを備えて構成されている。
【００１９】
装置本体２８は、中間横フレーム１７の表面（図４中左側面）上に位置する板片状の正面部３０と、この正面部３０の上端に連なって中間横フレーム１７の上端面に位置する上面部３１と、この上面部３１に連なって中間横フレーム１７の裏面（図４中右側面）側に位置するとともに、前記正面部３０の上下方向寸法よりも短寸となる裏面部３２とにより構成され、上部側の横断面形状がコ字状となる形状に設けられ、これにより、中間横フレーム１７を被装着部として当該中間横フレーム１７の領域内の任意の位置に装置本体２８が引っ掛け可能となっている。ここで、上面部３１の上面には、前述した下部の軸部材２３及びカーテン２１が位置するようになっており、従って、軸部材２３及びカーテン２１の下部は装置本体２８の浮き上がりを規制する脱落防止部として作用することとなる。また、上面部３１には、カーテン２１の下端部が接触し、当該カーテン２１との接触抵抗を生じさせることで、意図的な操作を行なわない限り、装置本体２８が中間横フレーム１７の長手方向に沿って滑ることがないように保たれる。
【００２０】
前記保持部２９は、前記正面部３０の左右両側に配置された一対の側板３５と、これら側板３５の相対面における基部上方にピン３６を介して回転可能に設けられるとともに、前端側が下向きに湾曲してトイレットペーパーＰの外周面に沿う形状となる蓋板３７とにより構成されている。なお、側板３５，３５の中央部間には、軸３８が着脱自在に掛け渡されており、当該軸３８がトイレットペーパーＰの筒状芯材Ｃに挿入される。
【００２１】
前記衝立１０は、前述したオプションの保持装置２６を取り外した状態で、図６に示されるように、各衝立本体１１，１１が二枚に重なるように折畳み可能となり、これを所定角度開いた状態で自立できるようになっている。
【００２２】
以上の構成において、オプションの保持装置２６を中間横フレーム１７に装着するときは、下部の軸部材２３を穴２４，２４から抜き出して行なえばよく、保持装置２６を所定位置に装着した後に、軸部材２３の両端部を穴２３，２３に差し込めばよい。また、カーテン２１を洗濯する場合には、上下の軸部材２２，２３をそれぞれ取り外し、これら軸部材２２，２３をカーテン２１の閉ループ部２１Ａ，２１Ｂから引き抜いて行なうことができる。
【００２３】
なお、前記実施例では、オプションの保持装置２６がトイレットペーパーＰを対象とした場合を図示、説明したが、例えば、図７に示されるように、濡れティッシュペーパー容器Ｐ１を収容できる保持部２９としてもよい。この保持部２９は、正面部３０の下端から前方に突出する底板４０と、この底板４０の前端に設けられて正面部３０と略平行に位置する前板４１と、底板４０の図７中紙面直交方向における両側に位置する一対の側板４２とにより上部を開放した箱形に形成されている。従って、濡れティッシュペーパー容器Ｐ１の他、消臭剤等も収容することができる。
【００２４】
また、前記実施例では、保持装置２６の着脱構造として、装置本体２８の上部をコ字状に設けて中間横フレーム１７に引っ掛かる場合を示したが、例えば、中間横フレーム１７に引っ掛けできるフックを別部品として設けておき、このフックを利用して当該フックに適合した支持構造を備えた保持装置としてもよい。この場合には装置本体２８の構成を省略若しくは簡略化することができるまた、衝立本体１１の適宜な位置に隠蔽効果を失わない程度の小さな穴を設けておき、この穴に嵌合する形状を保持装置側に設けてもよい。要するに、本発明は、衝立本体１１に対して、前述したオプションを配置することができれば足りる。
【００２５】
【発明の効果】
以上説明したように、本発明によれば、衝立本体にオプションの保持装置を着脱自在とする被装着部を設けたから、例えば、ポータブルトイレを囲む目的で衝立を用いたときに、トイレットペーパー等の衛生用品をオプションとしてこれを保持することができる。また、衝立が折畳みタイプである場合には、保持装置を取り外すことによって折畳みも支障なく行なうことができ、突出する部位を生ずることなく衝立を収納することができる。
【００２６】
また、衝立本体に開放部を設けて当該開放部の形成部を被装着部とした構成によれば、極めて簡単な構成によって被装着部を構成することが可能となる。しかも、開放部の形成部における長さ方向の領域を被装着部とすることができるとともに、当該領域内で最適な位置にオプションの保持装置を装着することができ、また、複数の保持装置を装着することも可能となる。
【００２７】
更に、前記被装着部の近傍に保持装置の脱落防止部を設けたから、衝立が被介護者のためのポータブルトイレ回りに用いられたときに、当該被介護者の予測できない手の動きによって保持装置を脱落させる方向に力が加えられるようなことがあっても、当該保持装置を安定した位置に保つことが可能となる。
【００２８】
また、前記開放部にカーテンが着脱自在に設けられる構成とすれば、カーテンの存在によって衝立全体を軽量化することが可能となる。
【００２９】
更に、前記開放部領域内における上部と下部に着脱自在となるカーテン支持部材を介してカーテンを着脱自在とした構成では、カーテンが汚れた場合でも難なく洗濯することができる他、カーテンの色を変えることも可能となる。
【００３０】
また、被装着部を開放部の下部形成部によって構成するとともに、当該下部形成部に沿って下部のカーテン支持部材を位置させてカーテンの下端部と保持装置とを接触させる構成を採った構成では、衝立を構成する部材を有効に利用して保持装置の脱落若しくは移動を規制することができる。しかも、カーテンの上下両側がカーテン支持部材で支持されるため、カーテンが不用意に捲れたり、開いたりすることも防止することができる。
【図面の簡単な説明】
【図１】実施例に係る衝立の使用状態を示す概略斜視図。
【図２】カーテンを除いた状態を示す衝立本体の概略斜視図。
【図３】カーテンを支持する軸部材を除いた状態を示す衝立本体の概略斜視図。
【図４】図１のＡ−Ａ線に沿う拡大断面図。
【図５】軸部材の支持構造を示す断面図。
【図６】衝立の平面図。
【図７】オプション保持装置の変形例を示す断面図。
【符号の説明】
１０  衝立
１１  衝立本体
１７  中間横フレーム
２０  開放部
２１  カーテン
２２  軸部材
２３  軸部材
２６  保持装置
２８  装置本体
２９  保持部
Ｐ  トイレットペーパー
Ｔ  ポータブルトイレ
【図１】
0003931611.tif 000002
【図２】
0003931611.tif 000003
【図３】
0003931611.tif 000004
【図４】
0003931611.tif 000005
【図５】
0003931611.tif 000006
【図６】
0003931611.tif 000007
【図７】
0003931611.tif 000008